【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
工具において応力パルスを発生する衝撃装置であって、該衝撃装置は、該工具を接続可能なフレームと、該フレームと該工具との間に伝動ピストンなどの伝動部材とを含み、該工具は、応力パルスの発生中の時間の少なくとも一部分において該伝動部材の工具側の端部と直接もしくは間接的に接触し、該装置は、前記フレームと前記伝動部材との間に力を発生させて該力が該伝動部材を前記工具の方へ押し出し易くする手段と、該伝動部材に対して工具側にある第１の作動油空間とを含み、それによって該伝動部材は、第１の作動油空間の側に前記工具へ向けて配した第１の正圧面を含み、該装置は、加圧した作動油を第１の作動油空間へ導き入れ該第１の作動油空間から作動油を急激に流出させる手段を含み、前記フレームと前記伝動部材との間の前記力が、直接的にもしくは間接的に該伝動部材を介してそして該伝動部材が前記工具に接触したときに、該工具をその長手方向に押し付ける力を生じ、その影響によって該工具にその軸方向の応力パルスを生じさせ、該装置は、加圧作動油を該衝撃装置に供給する作動油流路と、該作動油を該衝撃装置から導き出す排出流路とを含む衝撃装置において、作動油を第１の作動油空間から導き出す前記手段は、回転可能に設置された制御弁を含み、該制御弁は、作動油を第１の作動油空間から前記排出流路へ間欠的に導く制御流路／開口部を有し、該制御弁は、複数の平行する制御流路／開口部を有し、これらはそれぞれ、第１の作動油空間と前記作動油排出流路との間の連絡部を実質的に同時に開くことを特徴とする衝撃装置。
【請求項２】
請求項１に記載の衝撃装置において、前記制御弁は、作動油を前記作動油流路から第１の作動油空間へ間欠的に導く制御流路を有し、前記制御弁は複数の平行する制御流路を有し、これらは、前記作動油流路と第１の作動油空間との間の連絡部を同時に開いて、該作動油流路から第１の作動油空間への連絡部、および同様に、第１の作動油空間から前記排出流路への連絡部が交互に開くようにしていることを特徴とする衝撃装置。
【請求項３】
請求項１または２に記載の衝撃装置において、前記フレームと前記伝動部材との間に力を生じる前記手段は、該フレームと該伝動部材との間に応力エレメントを含み、該エレメントは、加圧作動油を第１の作動油空間へ導入することによって応力を受けることを特徴とする衝撃装置。
【請求項４】
請求項１ないし３のいずれかに記載の衝撃装置において、前記フレームと前記伝動部材との間に力を生じる前記手段は、該フレームと該伝動部材との間に第２の作動油空間を有し、第２の作動油空間は、作動油で満たされており、さらに、前記フレームに対して前記工具の長手方向に移動可能に取り付けた伝動ピストンなどの前記伝動部材によって限定されており、該伝動部材は、第２の作動油空間に向けて配置された第２の正圧面を含むことを特徴とする衝撃装置。
【請求項５】
請求項４に記載の衝撃装置において、第２の作動油空間は、前記フレームおよび前記ピストンとの間にある密閉された空間であり、該空間は、加圧作動油を第１の作動油空間へ供給することによって応力を受け、該空間は、作動油を第１の作動油空間から突然流出可能とすることによって応力から解放され、作動油に蓄積された応力エネルギーを軸方向の応力パルスとして前記工具に対して放出するようにしていることを特徴とする衝撃装置。
【請求項６】
請求項４に記載の衝撃装置において、該衝撃装置の第２の作動油空間は圧力源へ連通していることを特徴とする衝撃装置。
【請求項７】
請求項６に記載の衝撃装置において、前記圧力源は作動油ポンプであることを特徴とする衝撃装置。
【請求項８】
請求項１ないし７のいずれかに記載の衝撃装置において、前記制御弁は、同一方向に連続回転するように設置されていることを特徴とする衝撃装置。
【請求項９】
請求項１ないし７のいずれかに記載の衝撃装置において、前記制御弁は、周期的に前後に回転するように設置されていることを特徴とする衝撃装置。
【請求項１０】
請求項１ないし９のいずれかに記載の衝撃装置において、前記回転制御弁は、液圧媒体駆動式、望ましくは液圧駆動式モータによって回転させられることを特徴とする衝撃装置。
【請求項１１】
請求項10に記載の衝撃装置において、前記液圧駆動式モータは歯車モータであり、該歯車モータは、前記回転制御弁のはめ歯部と、該はめ歯部と回転結合している別個のはめば歯車と、これらの接点の対向する両側にある作動油供給流路および対応する排出流路とから成ることを特徴とする衝撃装置。
【請求項１２】
請求項11に記載の衝撃装置において、該装置は少なくとも２つの歯車モータを含み、該２つの歯車モータは、前記回転制御弁のはめ歯と、これらの接点の対向する両側にある供給流路および対応する排出流路とからなることを特徴とする衝撃装置。
【請求項１３】
請求項10ないし12のいずれかに記載の衝撃装置において、該装置は、前記制御弁の回転速度を調節して、それによって衝撃周波数および放出速度を調節する手段を含むことを特徴とする衝撃装置。
【請求項１４】
請求項１ないし12のいずれかに記載の衝撃装置において、該装置は、少なくとも１つの別個の補助弁を含み、該補助弁は、前記回転制御弁によって制御されるように連結しており、作動油が第１の作動油空間へ供給された場合、各補助弁は前記作動油空間から前記戻り流路への連絡部を閉じ、同様に、作動油が第１の作動油空間から流れ去った場合、該作動油空間から該戻り流路への連絡部を開くようにしていることを特徴とする衝撃装置。
【請求項１５】
請求項14に記載の衝撃装置において、前記補助弁はスピンドル状であることを特徴とする衝撃装置。
【請求項１６】
請求項15に記載の衝撃装置において、前記補助弁はスリーブ状であり、作動油が、前記制御弁の制御流路を介して前記作動油流路から、前記補助弁を介して第１の作動油空間へ流れることができるようにしていることを特徴とする衝撃装置。
【請求項１７】
請求項16に記載の衝撃装置において、第１の作動油空間から排出される作動油の一部は、同様に、前記補助弁を介して、さらに前記制御弁の前記制御流路を介して前記戻り流路へ流れることを特徴とする衝撃装置。
【請求項１８】
請求項１ないし17のいずれかに記載の衝撃装置において、前記回転制御弁はスリーブ状部分を含み、該スリーブ状部分に前記制御流路／開口部の少なくとも一部が形成されていることを特徴とする衝撃装置。
【請求項１９】
請求項１ないし18のいずれかに記載の衝撃装置において、前記回転制御弁はフランジ状部分を含み、該フランジ状部分に前記制御流路／開口部の少なくとも一部が形成されていることを特徴とする衝撃装置。
【請求項２０】
請求項１ないし19のいずれかに記載の衝撃装置において、液圧媒体によって調節可能なシールが、前記制御弁と、該衝撃装置のフレームとの間に配設されてていることを特徴とする衝撃装置。
【請求項２１】
請求項20に記載の衝撃装置において、流路を前記シールに配設してその中を通し、該流路を介して作動油を、前記排出流路／開口部を少なくとも通して導くことを特徴とする衝撃装置。
【請求項２２】
請求項１ないし21のいずれかに記載の衝撃装置において、作動油を前記作動油ポンプから前記回転制御弁へ、同様に該制御弁から前記排出流路を介して作動油タンクへ、前記供給流路および排出流路のそれぞれの長さの一部を越えて、複数の平行する供給流路および排出流路のそれぞれに沿って供給し、前記回転制御弁の流路の数と、該制御弁へそれぞれ通じている平行する供給流路および排出流路の数は、同一の整数によって乗算されることを特徴とする衝撃装置。
【請求項２３】
請求項22に記載の衝撃装置において、前記制御弁における流路の数は、１つの整数によって乗算した供給流路の数、またはその逆であり、同様に排出流路の数に関して同一の整数によって乗算した数、またはその逆であることを特徴とする衝撃装置。
【請求項２４】
作動油駆動式衝撃装置の作動サイクルと、作動油を該衝撃装置の中へおよびそこから導き出す該衝撃装置に通じる供給流路と、対応する排出流路とを制御する制御弁であって、該制御弁は、前記衝撃装置のフレームの空間に回転可能に設置することを意図されており、該空間に少なくとも１つの作動油排出流路が通されており、作動油の流れを制御するための少なくとも１つの流路もしくは開口部を含む制御弁において、該制御弁は、複数の平行する流路もしくは開口部を含み、これらは該制御弁が回転するにしたがって交互に同時に、それぞれに前記衝撃装置から前記排出流路への連絡部を開き、該排出流路への該連絡部を閉じることを特徴とする制御弁。
【請求項２５】
請求項24に記載の制御弁において、作動油供給流路が前記空間へ通じており、該制御弁は複数の平行する流路または開口部を含み、これらは前記供給流路から前記衝撃装置への連絡部を交互に同時に開いて、同様に該供給流路への連絡部を交互に開いて、該供給流路および排出流路への該連絡部を、異なる時間にそれぞれ開くようにしていることを特徴とする制御弁。
【請求項２６】
請求項24または25に記載の制御弁において、該制御弁は、同一の方向に連続回転するように設置することを意図されており、該制御弁は、該制御弁を回転する手段へ該制御弁を連結するための、はめ歯などの手段を含むことを特徴とする制御弁。